(57)【要約】  【課題】寝たきり者に安心感を与えつつ確実な体位変更を可能とし、介護者の手間や負担を軽減する床ずれ防止用介護用具を提供する。  【解決手段】  本発明の床ずれ防止用介護用具１は、膨張と収縮が可能な第１の袋体２と第２の袋体３が結合部４により結合され、第１の袋体２と第２の袋体３のそれぞれに給排気管５の一端が接続され、給排気管５を介して、第１の袋体２と第２の袋体３のそれぞれに対して給気もしくは排気を行う給排気装置６が給排気管５の他端が接続され、第１の袋体２と第２の袋体３のそれぞれは、結合部４に比べて、外縁部７の方が膨張後の体積が大きいことを特徴とする【選択図】  図１
2007289518.tif 000002
【特許請求の範囲】
【請求項１】
膨張と収縮が可能な第１の袋体と第２の袋体が結合部により結合され、
前記第１の袋体と前記第２の袋体のそれぞれに給排気管の一端が接続され、
前記給排気管を介して、前記第１の袋体と第２の袋体のそれぞれに対して給気もしくは排気を行う給排気装置が前記給排気管の他端が接続され、
前記第１の袋体と第２の袋体のそれぞれは、前記結合部に比べて、外縁部の方が膨張後の体積が大きいことを特徴とする床ずれ防止用介護用具。
【請求項２】
前記第１の袋体と前記第２の袋体のそれぞれは、底面と上面と側面を有した袋体であって、前記第１の袋体と前記第２の袋体のそれぞれは、前記結合部に比べて、前記外延部の方が膨張後における、前記底面から前記上面までの高さが高いことを特徴とする請求項１記載の床ずれ防止用介護用具。
【請求項３】
前記第１の袋体及び前記第２の袋体の少なくとも一方は、膨張時にその上面が円弧を有することを特徴とする請求項２記載の床ずれ防止用介護用具。
【請求項４】
前記第１の袋体及び前記第２の袋体の少なくとも一方は、じゃばら構造を有していることを特徴とする請求項１から３のいずれか記載の床ずれ防止用介護用具。
【請求項５】
前記第１の袋体と前記第２の袋体の少なくとも一方は、内部に複数の空気袋を有しており、前記複数の空気袋は、前記結合部から離れるほどに膨張時の大きさが大きくなることを特徴とする請求項１から４のいずれか記載の床ずれ防止用介護用具。
【請求項６】
前記給排気管は、前記複数の空気袋に接続されていることを特徴とする請求項５記載の床ずれ防止用介護用具。
【請求項７】
前記第１の袋体及び前記第２の袋体の少なくとも一方の内部には、補助袋体が備えられており、前記第１の袋体及び前記第２の袋体の少なくとも一方に設けられた開閉可能な蓋から、前記補助袋体の膨張時には、前記補助袋体は開放された前記蓋から突出することを特徴とする請求項１から６のいずれか記載の床ずれ防止用介護用具。
【請求項８】
前記結合部は、第３の袋体を備えることを特徴とする請求項１から７のいずれか記載の床ずれ防止用介護用具。
【請求項９】
前記結合部は、人体に臨む面が凹面であることを特徴とする請求項１から８のいずれか記載の床ずれ防止用介護用具。
【請求項１０】
人体に装着可能な装着部を更に備えることを特徴とする請求項１から９のいずれか記載の床ずれ防止用介護用具。
【請求項１１】
前記装着部は、装着バンドを有することを特徴とする請求項１０記載の床ずれ防止用介護用具。
【請求項１２】
前記第１の袋体と前記第２の袋体のそれぞれの上面は、人体に臨むことを特徴とする請求項１から１１のいずれか記載の床ずれ防止用介護用具。
【請求項１３】
前記給排気装置は、一定時間毎に給気と排気を行うことを特徴とする請求項１から１２のいずれか記載の床ずれ防止用介護用具。
【請求項１４】
前記給排気装置は、前記第１の袋体と前記第２の袋体を、交互に膨張させることを特徴とする請求項１３に記載の床ずれ防止用介護用具。
【請求項１５】
前記給排気装置は、制御端末を備えていることを特徴とする請求項１から１４のいずれか記載の床ずれ防止用介護用具。
【発明の詳細な説明】
【技術分野】
【０００１】
本発明は、寝たきりの病人や老人の床ずれを防止する床ずれ防止用介護用具に関するものである。
【背景技術】
【０００２】
病気や怪我、あるいは加齢により、寝たきりとなる病人や高齢者にとっては、長時間同じ姿勢で寝たきりとなるために、床ずれを生じさせることが多い。
【０００３】
この床ずれが生じる原因は、寝たきりにより、身体の下側（一般的には背中側）の同一部位が長時間にわたり寝具に接し、この部位の血液の循環が不良となることである。
【０００４】
このため、寝たきり者の床ずれを防止するためには介護者が頻繁に、その体位を変えてあげるなどの重労働が必要であった。
【０００５】
このような寝たきり者の体位変更のために、二つの空気袋への空気の給排気を時間間隔により行って、寝たきり者の体重バランスを変化させる技術が開示されている（例えば、特許文献１参照）。二つの空気袋のそれぞれは、寝たきり者の背中において、背骨を中心に左右に配置され、一方の空気袋が膨張すると、この膨張に合わせて背中の半分が持ち上げられ、身体が、縦軸を基準に傾けられる。
【０００６】
しかしながら、特許文献１に代表される従来の技術では次のような問題点があった。
【０００７】
特許文献１に開示される二つの空気袋のそれぞれは、楕円形に近い形状を有しており、給気されて膨張した場合でも、そのままの形状で大きくなる。このため、二つの空気袋の境界から外縁部における中で、略中央の位置の膨張が最も大きくなる。このため膨張後の体積に対して、寝たきり者の傾き角度を決める高さが低く、寝たきり者に対する体位の傾きを十分に生じさせることができない。一方、寝たきり者の傾きを大きくするためには、空気袋の膨張を非常に大きくする必要がある。この場合には、非膨張時との差が大きくなりすぎるため、空気袋への負担が大きい上、膨張に要する時間やコストも大きくなる。膨張させすぎることによる空気袋の破損も生じうる。
【０００８】
また、傾きの角度の割には、空気袋の膨張後の体積が大きい上、背骨と外縁の略中央（背中全体の横軸におけるおよそ４分の１となる位置）から背中が押し上げられるために、膨張時には、寝たきり者は安定感を失った感覚を持ちやすい。すなわち、背中が抱きかかえられる状態で持ち上げられるのではなく、背中の一部に押上げが加わって宙に浮いたように持ち上げられるので、まるで細い柱でジャッキアップされた感じを受け、寝たきり者は不安を持ちかねない。
【０００９】
すなわち、介護者による場合には、介護者の腕で背中全体が支えられて持ち上げられるので、たとえ体位が背骨を軸に傾けられたとしても、寝たきり者は安心していられるが、背中の一部だけが突出して押し上げられると、不安定感から寝たきり者は不安になり、精神衛生上もよくない。
【００１０】
この背中の一部だけが突出して押し上げられる特許文献１に開示の技術では、空気袋の膨張後の形状が楕円に近い形状であるので、背中と接する部分は滑りやすい。このため空気袋の一方が膨張して背中が傾けられた場合に、寝たきり者が空気袋の上から滑り落ちてしまうこともあり、非常に危険である。
【００１１】
あるいは、寝たきり者が空気袋の上から滑り落ちてしてしまっても、寝たきり者は自分では動くことができず、状態を矯正できない。この状態で放置されていては、体位変更はなされず、自動で体位変更がされるものと安心しきっている介護者による観察もされずに、寝たきり者の床ずれ防止は果たせない問題も生じる。
【特許文献１】特開２００２−４５４０４号公報
【発明の開示】
【発明が解決しようとする課題】
【００１２】
そこで本発明は、寝たきり者に安心感を与えつつ確実な体位変更を可能とし、介護者の手間や負担を軽減する床ずれ防止用介護用具を提供することを目的とする。
【課題を解決するための手段】
【００１３】
第１の発明に係る床ずれ防止用介護用具は、膨張と収縮が可能な第１の袋体と第２の袋体が結合部により結合され、第１の袋体と第２の袋体のそれぞれに給排気管の一端が接続され、給排気管を介して、第１の袋体と第２の袋体のそれぞれに対して給気もしくは排気を行う給排気装置が給排気管の他端が接続され、第１の袋体と第２の袋体のそれぞれは、結合部に比べて、外縁部の方が膨張後の体積が大きいことを特徴とする。
【００１４】
この構成により、第１の袋体と第２の袋体の上面が、寝たきり者の背中の幅方向の前面に接した状態で、寝たきり者を押し上げる。結果として、押し上げられた寝たきり者が宙に浮いたような不安感を持つことなく体位変更できる。この体位変更は、給排気装置により自動で行われるので、介護者の手間が不要であって、しかも寝たきり者が安心して使用できるので、介護者の負担が更に低減できる。自動で体位変更ができることで、床ずれが防止され、加えて適度な運動刺激が与えられるので、寝たきり者の自立支援に役立つ。
【００１５】
第２の発明に係る床ずれ防止用介護用具では、第１の袋体と第２の袋体のそれぞれは、底面と上面と側面を有した袋体であって、第１の袋体と第２の袋体のそれぞれは、結合部に比べて、外延部の方が膨張後における、底面から上面までの高さが高いことを特徴とする。
【００１６】
この構成により、第１の袋体と第２の袋体の上面が、寝たきり者の背中の幅方向の前面に接した状態で、寝たきり者を押し上げる。結果として、押し上げられた寝たきり者が宙に浮いたような不安感を持つことなく体位変更できる。この体位変更は、給排気装置により自動で行われるので、介護者の手間が不要であって、しかも寝たきり者が安心して使用できるので、介護者の負担が更に低減できる。自動で体位変更ができることで、床ずれが防止され、加えて適度な運動刺激が与えられるので、寝たきり者の自立支援に役立つ。
【００１７】
第３の発明に係る床ずれ防止用介護用具では、第１の袋体及び第２の袋体の少なくとも一方は、膨張時にその上面が円弧を有することを特徴とする。
【００１８】
この構成により、体位変更のために膨張した第１の袋体と第２の袋体は、寝たきり者の背中やお腹が抱きかかえられるように押し上げられる。このため、体位変更時に、寝たきり者が不安感を抱くことが少ない。
【００１９】
第４の発明に係る床ずれ防止用介護用具では、第１の袋体及び第２の袋体の少なくとも一方は、じゃばら構造を有していることを特徴とする。
【００２０】
この構成により、外縁部ほど高さが高くなる膨張が可能となる。
【００２１】
第５の発明に係る床ずれ防止用介護用具では、第１の袋体と第２の袋体の少なくとも一方は、内部に複数の空気袋を有しており、複数の空気袋は、結合部から離れるほどに膨張時の大きさが大きくなることを特徴とする。
【００２２】
第６の発明に係る床ずれ防止用介護用具では、給排気管は、複数の空気袋に接続されていることを特徴とする。
【００２３】
これらの構成により、外縁部ほど高さが高くなる膨張が可能となる。加えて、内部に備えられた空気袋により第１の袋体や第２の袋体が膨張するので、衝撃に強い。
【００２４】
第７の発明に係る床ずれ防止用介護用具では、第１の袋体及び第２の袋体の少なくとも一方の内部には、補助袋体が備えられており、第１の袋体及び第２の袋体の少なくとも一方に設けられた開閉可能な蓋から、補助袋体の膨張時には、補助袋体は開放された蓋から突出することを特徴とする。
【００２５】
この構成により、２段構成で寝たきり者を傾けることができ、身体をほぼ横向きにすることも、反転させることもできる。
【００２６】
第８の発明に係る床ずれ防止用介護用具では、結合部は、第３の袋体を備えることを特徴とする。
【００２７】
この構成により、身体の体位変更だけでなく、人体と寝具との接触時間を減少させることができ、床ずれの防止が更に図られる。
【００２８】
第９の発明に係る床ずれ防止用介護用具では、結合部は、人体に臨む面が凹面であることを特徴とする。
【００２９】
この構成により、床ずれ防止用介護用具を寝たきり者が背中に配置した場合には、凹面を有する結合部が脊椎の出っ張りにフィットして、使用感が高まる。
【００３０】
第１０の発明に係る床ずれ防止用介護用具では、人体に装着可能な装着部を更に備えることを特徴とする。
【００３１】
第１１の発明に係る床ずれ防止用介護用具では、装着部は、装着バンドを有することを特徴とする
これらの構成により、身体が傾けられても、寝たきり者が床ずれ防止用介護用具からずり落ちる心配が少なく、安全性が高い。
【００３２】
第１２の発明に係る床ずれ防止用介護用具では、第１の袋体と第２の袋体のそれぞれの上面は、人体に臨むことを特徴とする。
【００３３】
この構成により、人体をやさしく押し上げる。
【００３４】
第１３の発明に係る床ずれ防止用介護用具では、給排気装置は、一定時間毎に給気と排気を行うことを特徴とする。
【００３５】
第１４の発明に係る床ずれ防止用介護用具では、給排気装置は、第１の袋体と第２の袋体を、交互に膨張させることを特徴とする。
【００３６】
これらの構成により、身体の右方向への傾きと、左方向への傾きを、自動で交互に繰り返すことができるので、介護者の負担無く、自動で体位変更が実現できる。
【００３７】
第１５の発明に係る床ずれ防止用介護用具では、給排気装置は、制御端末を備えていることを特徴とする。
【００３８】
この構成により、寝たきり者が自らの好みに応じて、体位変更を実現できる。
【発明の効果】
【００３９】
本発明によれば、寝たきり者に不安感や不安定感を与えることなく、寝たきり者の体位を自動で変更できる。この結果、姿勢が変更され、人体の同じ部位が寝具に長時間接することがなくなるので、血流が向上し、床ずれが防止される。
【００４０】
特に、袋体が外縁ほど高さを有するように膨張するので、身体が押し上げられるときに、背中全体が支えられて、寝たきり者の体位変更時の安定性が高い。
【００４１】
また、人体に床ずれ防止介護用具が装着されるので、使用時に介護用具が外れることがなく、寝たきり者に不測の事態を生じさせない。
【００４２】
また、補助袋体による二段式の押し上げにより、寝たきり者の身体を反転させることもできる。例えば介護者が寝たきり者の洗浄を行う場合に、背中が反転することで、介護者が片手で寝たきり者を持ち上げる手間が無くなり、高齢、あるいは体力のない介護者にとっての介護が容易となる。
【００４３】
また、制御装置により、一定時間間隔で袋体を交互に膨張させることで、介護者の手間なく、自動で寝たきり者の体位変更が行える。
【発明を実施するための最良の形態】
【００４４】
以下、図面を参照しながら、本発明の実施の形態を説明する。
【００４５】
（実施の形態１）
まず、図１〜図４を用いて実施の形態１について説明する。
【００４６】
図１は、本発明の実施の形態１における床ずれ防止用介護用具のブロック図である。
【００４７】
床ずれ防止用介護用具１は、第１の袋体２と第２の袋体３、給排気管５、給排気装置６を備えている。
【００４８】
（全体概略）
まず、全体の概要を説明する。
【００４９】
第１の袋体２と第２の袋体３は、それぞれ気体や液体により膨張と収縮が可能であり、結合部４により、第１の袋体２と第２の袋体３が結合されている。
【００５０】
第１の袋体２と第２の袋体３のそれぞれには、空気の供給と排気を行う給排気管５が接続されており、給排気装置６は、給排気管５を介して、第１の袋体２と第２の袋体３に空気の供給と排出を行う。第１の袋体２と第２の袋体３は、給排気装置６からの空気の供給により膨張し、空気の排出により収縮する。
【００５１】
寝たきり者は、ベッドや布団などの寝具に寝ている場合に、この床ずれ防止用介護用具１を背中に配して使用する。詳細は後述するが、寝たきり者の背中の軸方向の中心となる脊椎に結合部４があてがわれ、第１の袋体２と第２の袋体３は、脊椎を軸に左半分と右半分の背中部分にあてがわれる。
【００５２】
第１の袋体２と第２の袋体３の一方のみが膨張し、他方が収縮することで、寝たきり者の背中の半分が押し上げられて、体位を傾けることができる。膨張する袋体を交互に切り替えることで、傾く方向を変えることができ、自動で体位変更が可能となる。
【００５３】
この自動で行われる体位変更により、介護者の手間無く、床ずれを防止でき、寝たきり者の自立を支援できる。
【００５４】
（詳細説明）
各部の詳細と動作について説明する。
【００５５】
図２を用いて、第１の袋体２と第２の袋体３の膨張と収縮について説明する。
【００５６】
図２（ａ）は、本発明の実施の形態１における床ずれ防止用介護用具の斜視図であり、図２（ｂ）、図２（ｃ）は、本発明の実施の形態１における床ずれ防止用介護用具の側面図である。
【００５７】
第１の袋体２と第２の袋体３は、ゴム、ビニルなどの樹脂でできており、人体に柔らかく接することができるように、表面が柔らかく加工されていることが好適である。また、第１の袋体２と第２の袋体３は、膨張と圧縮が可能であるように、内部は中空になっている。
【００５８】
図２（ａ）に示されるように、第１の袋体２と第２の袋体３のそれぞれには、給排気管５が接続されている。第１の袋体２と第２の袋体３は、給排気管５より給気を受けると膨張し、排気をうけると収縮する。結合部４は、人体の脊椎にそってあてがわれるので、脊椎の出っ張りに合わせて凹面を有している。
【００５９】
図２（ｂ）に示されるように、第１の袋体２と第２の袋体３は、結合部４付近に比べて、外縁部７の方が、膨張後の体積が大きくなる。すなわち、第１の袋体２と第２の袋体３は、底面２０と上面２１と側面２２を有する袋体であるので、第１の袋体２と第２の袋体３は、膨張後においては、底面２０から上面２１までの高さは、結合部４付近よりも、外縁部７における方が高くなる。
【００６０】
すなわち、寝たきり者の背中に床ずれ防止用介護用具１が設置された場合には、脊椎付近よりも、両腕に近い人体の端部の方が押し上げられることになる。
【００６１】
このような外縁部７ほど高くなる（大きくなる）膨張が実現されるために、第１の袋体２と第２の袋体３のそれぞれは、図２に示されるようにじゃばら構造を有している。
【００６２】
なお、じゃばら構造は一例であり、これに限られるものではない。
【００６３】
また、図２（ｃ）に示されるように、第１の袋体２と第２の袋体３の少なくとも一方は、膨張時にその上面２１が円弧を有していることが好ましい。上面２１が、膨張時に円弧を有することで、寝たきり者の背中が押し上げられるときに、抱きかかえられるようにして押し上げられるからである。このように押し上げられることで、寝たきり者は、身体の横半分が押し上げられるときに、不安定感を感じず、安心できる。
【００６４】
図３を用いて、寝たきり者が使用する状態について説明する。
【００６５】
図３は、本発明の実施の形態１における床ずれ防止用介護用具の使用状態の説明図である。
【００６６】
図３（ａ）には、人体３０の背面に床ずれ防止用介護用具１が敷かれている状態が示されている。人体３０の背面のいずれの場所に敷かれても良いが、体位変更を効率的に行うために、腰から肩甲骨くらいにかけて敷かれるのが好適である。また、第１の袋体２と第２の袋体３の大きさは、人体３０の横幅を超えるくらいの幅と、腰の上から肩甲骨くらいにかけての長さを有していることが好適である。
【００６７】
また、図３（ａ）から明らかな通り、結合部４が人体３０の脊椎に沿ってあてがわれることが、脊椎を軸とした人体３０の左右を傾かせることで体位変更する上で好適である。すなわち、結合部の長手方向が脊椎の長手方向に沿うように、床ずれ防止用介護用具１があてがわれる。
【００６８】
次に、図３（ｂ）に示されるように、第２の袋体３に給気されると、第２の袋体３が膨張し、第１の袋体２はそのままである。これにより、人体３０の図３（ｂ）の頭部から見た右半分が押し上げられる。すなわち、人体３０の右半分が押しあげられて傾く。
【００６９】
次に、図３（ｃ）に示されるように、第２の袋体３は排気されて収縮し、逆に第１の袋体２は給気されて膨張すると、人体３０の左半分が押し上げられて図３（ｂ）と逆方向に傾けられる。
【００７０】
第１の袋体２と第２の袋体３は、じゃばら構造を有し、結合部４付近から外縁部７にかけて次第に高くなるように膨張する。このため図３から明らかな通り、脊椎から両腕付近にかけて斜めに袋体の上面２１が接するように人体３０が押し上げられる。このため、従来の技術のように、人体３０の外縁部である両腕付近の下には袋体が存在しないことがなく、人体３０は、脊椎から両腕にかけて全体的に抱きかかえられるように押し上げられる。
【００７１】
このため、寝たきり者は身体が傾けられているときに、宙に浮いたような不安定な感覚にとらわれることがなく、寝たきり者は、不安感を持つことなく、体位変更に身を委ねることができる。また、脊椎から両腕付近にかけて徐々に高くなるように押し上げられるので、寝たきり者が誤って床ずれ防止用介護用具の外に押し出される心配もない。従来の技術における介護用具では、袋体が交互に膨張して、自動で体位変更できるといっても、寝たきり者に不安感を与えたり、悪くすると介護用具から押し出されて、ベッドから落下するなどの心配もあったが、本発明の床ずれ防止用介護用具１では、この心配もない。このため、介護者は安心して介護用具に体位変更を任せることができるのである。
【００７２】
このように、図３（ａ）から図３（ｃ）の動作が繰り返されることで、寝たきり者であっても、身体の向きが交互に傾けられ、特定の部位が寝具に長時間接することが防止される上に、身体への適度な刺激と運動が付与されて、床ずれや運動不足が防止される。
【００７３】
特に、給排気装置６が、第１の袋体２と第２の袋体３を一定期間毎に交互に膨張と収縮を行うことで、介護者の手間を必要とせずに、自動で寝たきり者の体位変更を実現できる。
【００７４】
また、体位変更がなされることで、寝たきり者は適度な運動刺激を得ることができ、寝たきりであっても、筋肉の衰えを防止できる。
【００７５】
給排気装置６は、床ずれ防止用介護用具のヒューマンインターフェースを高めるための種々の工夫を備えている。
【００７６】
図４を用いて説明する。図４（ａ）は、制御装置の斜視図、図４（ｂ）は、給排気装置の模式図である。
【００７７】
給排気装置６は、給排気の圧力を出すコンプレッサー８と制御装置９を備えており、更に、使用者が容易に設定できるように制御端末１１を備えている。
【００７８】
制御端末１１は、寝たきり者が自ら設定できるようにしてあり、例えば、息苦しさを感じて身体を横に向けたいときや、飲み物を飲むために身体を傾けたいときに、寝たきり者が介護者の介護を待たずに、自ら体位を変更できる。もちろん、好みに応じた寝返りの実現にも効果的である。
【００７９】
制御装置９は、第１の袋体２と第２の袋体３の膨張、収縮の時間間隔や膨張率などを制御する。以下に制御例を説明する。なお、制御装置９は、プログラムなどを格納するメモリとマイコンにより、自動制御を行う。プログラムは必要に応じて書き換えられれば良く、ユーザ設定などによるフレキシブルなプログラム設定が可能である。
【００８０】
（制御例１）
制御装置９は、第１の袋体２と第２の袋体３の膨張と収縮の時間間隔を制御する。
【００８１】
例えば、最初の２０分間においては、第１の袋体２と第２の袋体３のいずれも膨張させない状態とし、次の２０分間は第１の袋体２を膨張させ、次の２０分は第２の袋体３を膨張させるように制御する。このように１時間の中で、正常状態、右傾き状態、左傾き状態を生じさせて、床ずれを防止できる。勿論、この時間間隔は寝たきり者の状態に応じて設定を変えればよく、医師や療法士の処方に従って、設定されればよい。第１の袋体２と第２の袋体３のいずれかの膨張時間が長くなるように設定しても良い。
【００８２】
（制御例２）
制御装置９は、第１の袋体２と第２の袋体３の膨張率を制御する。
【００８３】
寝たきり者の病状や年齢、健康状態、あるいは寝たきりの期間によっては、寝たきり者の身体の押し上げ量を変える必要が生じる。
【００８４】
第１の袋体２と第２の袋体３は、給気する量によって膨張後の大きさが変化する。例えば、床ずれがひどい寝たきり者であれば、体位変更量を大きくする必要があるので、制御装置９は、膨張率を高くする。あるいは、寝たきり者が高齢で、体位変更量を大きくすると、身体に負担がかかる場合には、制御装置９は、膨張率を低く抑える。
【００８５】
また、身体の左右の押し上げ量を変えたい場合には、制御装置９は、第１の袋体２と第２の袋体３の膨張率を異ならせても良い。
【００８６】
給排気装置６は、制御装置９の種々の制御により、寝たきり者の体位変更を自動で様々に制御できる。結果として、床ずれを防止できると共に、適度な運動刺激を与えることができ、寝たきり者の社会復帰の支援もできる。
【００８７】
また、寝たきり者が自ら制御端末１１を用いて袋体を膨張、収縮させて、寝返りをうつことができる。このような点でも寝たきり者の主体的な行動の支援となる。
【００８８】
以上のように、実施の形態１における床ずれ防止用介護用具１により、寝たきり者に不安感を与えることなく、介護者の手間を要さずに寝たきり者の体位変更を自動で行うことができる。また、寝たきり者が主体的に、自己の身体の体位を変更できる。
【００８９】
結果として、床ずれを防止でき、寝たきり者の支援に役立つ。
【００９０】
なお、実施の形態１においては、寝たきり者の背面に床ずれ防止用介護用具１を敷くことを例に説明したが、寝たきり者がうつぶせの場合には、腹側に敷いても良いのは勿論である。
【００９１】
（実施の形態２）
次に、図５、図６を用いて実施の形態２について説明する。
【００９２】
実施の形態２における床ずれ防止用介護用具は、第１の袋体２と第２の袋体３の膨張に、それぞれの内部に設けられた複数の空気袋が用いられる形態を有している。
【００９３】
図５、図６は、本発明の実施の形態２における床ずれ防止用介護用具の斜視図である。
【００９４】
第１の袋体２と第２の袋体３の内部には、膨張、収縮が可能な複数の空気袋４０を備えており、複数の空気袋４０のそれぞれには、給排気管５が接続されている。すなわち、複数の空気袋４０のそれぞれは、給排気管５を介して、給気と排気が行われる。
【００９５】
複数の空気袋４０は、第１の袋体２、第２の袋体３の内部で、結合部４から外縁部に向けて順に配置されており、それぞれの膨張後の大きさは、結合部４から離れるにつれて（すなわち外縁部に向かうにつれて）大きくなる。このような複数の空気袋４０が膨張することで、第１の袋体２、第２の袋体３のそれぞれは、効果的に膨張し、しかも、膨張時には、結合部４付近よりも、外縁部の方が体積が大きくなる（高さが高くなる）。
【００９６】
このような膨張により、寝たきり者を抱きかかえるような体位変更が実現され、寝たきり者に不安感を与えることなく、自動で体位変更が実現される。
【００９７】
また、複数の空気袋４０の内、結合部４と外縁部の間において真ん中付近に位置する空気袋４０の膨張率を下げ、残りの空気袋４０の膨張率を高めることで、第１の袋体２と第２の袋体３の上面２１に凹面を形成できる。
【００９８】
この凹面により、寝たきり者の背中（あるいは腹の）曲線に適切に対応できる。更に、よりやさしく押し上げることができ、寝たきり者の不安感を極力まで軽減できる。
【００９９】
なお、図６に示されるように、第１の袋体２と第２の袋体３は、それぞれ結合部４で分離可能とされても良い。
【０１００】
以上のように実施の形態２における床ずれ防止用介護用具１は、実施の形態１の床ずれ防止用介護用具の効果に加えて、第１の袋体２と第２の袋体３を容易かつ確実に膨張させることができる。
【０１０１】
特に、袋体の内部に複数の空気袋４０が備えられているので、破損にも強いメリットがある。
【０１０２】
なお、図６に示されるように、第１の袋体２と第２の袋体３が分離、結合できることで、例えば、使用する寝たきり者の体系に合わせた床ずれ防止用介護用具１を実現できる。また、第１の袋体２と第２の袋体３の一方のみが破損、汚損した場合に、低コストで取り替えることができる。
【０１０３】
（実施の形態３）
次に、図７、図８を用いて実施の形態３について説明する。
【０１０４】
実施の形態３においては、寝たきり者の左右の傾きをつけることによる体位変更に加えて、寝たきり者の身体を反転させる場合について説明する。例えば、介護において寝たきり者を仰向けからうつぶせに変える（あるいは逆）必要がある場合に、女性や身体の弱い介護者では困難な場合が多い。このような場合でも、実施の形態３における床ずれ防止用介護用具１であれば、介護者の負担が少なく、寝たきり者の身体を反転できる。
【０１０５】
図７は、本発明の実施の形態３における床ずれ防止用介護用具の斜視図であり、図８は、本発明の実施の形態３における床ずれ防止用介護用具の使用説明図である。
【０１０６】
実施の形態３における床ずれ防止用介護用具１は、第１の袋体２と第２の袋体３の少なくとも一方の内部に、補助袋体を備えている。
【０１０７】
図７に示されるように、第１の袋体２と第２の袋体３は、ファスナーや面ファスナーなどにより開閉可能な蓋５０を備えており、図示されていない補助袋体が、第１の袋体２と第２の袋体３の内部に備えられている。補助袋体は、蓋５０が開放されている場合には、開放面から突出することが可能であり、補助袋体が膨張すると膨張に伴って、開放面から突出する。
【０１０８】
図８を用いて説明する。
【０１０９】
図８（ａ）に示されるように、まず第２の袋体３が膨張し、頭部から見た人体３０の右半分を押し上げて傾かせる。
【０１１０】
次に、図８（ｂ）に示されるように、補助袋体５１に給気され、開放された蓋５０の開放面から、膨張した補助袋体５１が突出する。これにより、人体３０は、ほぼ横向きになるほどまでに傾く。この状態から介護者が受け止めるように腹側を下に導けば仰向けの状態からうつぶせの状態に寝たきり者を反転させることができる。
【０１１１】
勿論、反転させるだけではなく、寝たきり者の身体の洗浄や治療などの必要により、身体を横向きになるほどに傾けたい場合にも、第２の袋体３と補助袋体５１の２段階による押し上げにより、大きな傾きを容易に実現できる。
【０１１２】
同様に、図８（ｃ）に示されるように、第１の袋体２と補助袋体５１の２段階の押し上げにより、人体３０をほぼ横向きに傾けることができる。介護者は、食事の世話や洗浄、治療などを、容易に行うことができる。
【０１１３】
なお、補助袋体５１は、蓋５０が閉じている場合には外部に突出できないので、介護者が蓋５０を開放しない限りは、補助袋体５１による押し上げができない。このため、身体が横向きになるほどの体位変更を、寝たきり者が勝手に行うことができないようにでき、寝たきり者の安全が図られる。勿論、補助袋体５１の膨張、収縮の制御が、介護者にしかできないように設定することも、寝たきり者の安全面から好適である。
【０１１４】
以上のように、実施の形態３における床ずれ防止用介護用具１によれば、食事や洗浄の世話、あるいは治療のために、寝たきり者の身体を横方向にまで傾けたい場合や、仰向けとうつぶせの反転させたい場合に有効である。
【０１１５】
なお、補助袋体５１を収納するための蓋５０は、開放時には人体３の前に回して、蓋５０を閉じるために使用するファスナーや面ファスナー等を、人体３０の前面で止めることで、人体３０への床ずれ防止用介護用具１の固定に用いることができる。すなわち、第１の袋体２と第２の袋体３のそれぞれに設けられている蓋５０を開放し、二つの蓋５０を人体３０の前面に回して、ファスナーや面ファスナー同士を接続して、装着バンドの代わりにできる。この装着バンド代わりにすることで、身体が横向きになる場合でも、寝たきり者は安心でき、更に、介護者も、余分な手間を要さずに寝たきり者の洗浄や治療などを行うことができる。
【０１１６】
（実施の形態４）
次に図９、図１０を用いて実施の形態４について説明する。
【０１１７】
実施の形態４における床ずれ防止用介護用具は、人体に装着できる装着部を備えている。
【０１１８】
図９は、本発明の実施の形態４における床ずれ防止用介護用具の斜視図である。図１０は、本発明の実施の形態４における床ずれ防止用介護用具の装着に関する説明図である。
【０１１９】
床ずれ防止用介護用具１は、装着部を備えており、図９では、装着部は、装着バンド６０で実現されている。装着バンド６０は、第１の袋体２と第２の袋体３のそれぞれに取り付けられており、面ファスナー６１やボタンなどで人体３０へ装着できる。人体３０へ装着されるので、装着バンド６０は、繊維などの柔らかく肌に優しい素材が用いられる。特に、装着バンド６０の内側は、肌に直接触れることもありうるので、抗菌処理や柔軟処理がなされていることが好ましい。
【０１２０】
また、図９に示されるように、面ファスナー６１での装着により、人体３０の大きさの違いにも柔軟に対応できる。
【０１２１】
この装着バンド６０を用いて、人体３０に床ずれ防止用介護用具１を装着した状態が、図１０に示されている。床ずれ防止用介護用具１は、装着バンド６０を用いて、ベッド６５に横たわる人体３０の腰部付近に装着されている。第１の袋体２と第２の袋体３は、実施の形態１などで説明されたように、給排気装置６での制御により、所定の時間毎に、膨張と収縮を行う。第１の袋体２が膨張し、第２の袋体３が収縮すると、人体３０は、一方に傾き、第１の袋体２が収縮し、第２の袋体３が膨張すると、人体３０は、逆方向に傾く。この交互の傾きは、給排気装置６の自動制御（給排気装置６は、制御装置を備えており、制御装置はプログラミングされた指令に基づき動作する）により実現される。
【０１２２】
このような人体３０が傾けられた場合でも、装着バンド６０により、床ずれ防止用介護用具１は、人体３０に固定されているので、人体３０は、床ずれ防止用介護用具１からずり落ちる心配がない。更に言えば、傾きを形成されることで人体３０がベッド６５からもずり落ちる心配がない。このような装着バンド６０による、床ずれ防止用介護用具１の人体３０への固定により、体位変更が行われても、寝たきり者がベッドから転落したりする心配がない。人体３０の脊椎から外縁に至るまでなだらかに斜めに押し上げることと、人体への固定とがあいまって、寝たきり者が、不安感を持つことなく安心して、床ずれ防止用介護用具１を使用できる。
【０１２３】
また、実施の形態３で説明した補助袋体５１により寝たきり者を横向きにまで傾けるときに、この装着バンド６０で人体３０に床ずれ防止用介護用具を固定することで、寝たきり者が不安を覚えることなく、横向きにできる。
【０１２４】
特に、寝たきり者を横向きに傾けるのは、介護者が、寝たきり者を洗浄したり、治療したりするときであるので、介護者の両手が自由であることが望ましい。袋体と補助袋体５１の２段階による傾きの実現と、装着バンド６０による傾いた人体３０の固定により、介護者が手を添えることなく寝たきり者の横向きの姿勢が維持される。この結果、介護者は、自由である両手を用いて寝たきり者の洗浄や治療などの介護を行うことができる。
【０１２５】
（実施の形態５）
次に図１１、図１２を用いて実施の形態５について説明する。
【０１２６】
図１１は、本発明の実施の形態５における床ずれ防止用介護用具の側面図であり、図１２は、本発明の実施の形態５における床ずれ防止用介護用具の使用状態の説明図である。
【０１２７】
実施の形態５における床ずれ防止用介護用具１は、結合部４に第３の袋体７０を備えている。第３の袋体７０は、第１の袋体２と第２の袋体３に挟まれる位置に存在し、図１２に示されるように、人体３０の脊椎付近にあてがわれる。
【０１２８】
第３の袋体７０にも給排気管が接続され、給排気装置６による給気と排気を受け、収縮と膨張を行う。但し、第３の袋体７０は、第１の袋体２と異なり傾きをもって膨張しない。第３の袋体７０は、脊椎を押し上げるように膨張する。
【０１２９】
この、脊椎を押し上げるような膨張により、背中全体が上に押し上げられ、背中と寝具の間に隙間を作ることができる。第１の袋体２と第２の袋体３の膨張と収縮による体位変更による床ずれ防止機能に加えて、背中と寝具との接触時間を減少させることができ、血流の向上が更に図られ、床ずれが更に防止される。
【０１３０】
なお、実施の形態１から５においては、床ずれ防止用介護用具１を寝たきり者の背面に配置することを例に説明したが、腹側に配置してもよい。使用方法については、寝たきり者の健康状態や使用要求に応じて、適宜決められればよい。
【０１３１】
また、本発明の主旨を逸脱しない限り、形態や構造においては種々の変更が可能である。
【産業上の利用可能性】
【０１３２】
本発明は、寝たきり者の床ずれを防止できる介護用具等の分野に好適に利用できる。
【図面の簡単な説明】
【０１３３】
【図１】本発明の実施の形態１における床ずれ防止用介護用具のブロック図
【図２】（ａ）本発明の実施の形態１における床ずれ防止用介護用具の斜視図  （ｂ）本発明の実施の形態１における床ずれ防止用介護用具の側面図  （ｃ）本発明の実施の形態１における床ずれ防止用介護用具の側面図
【図３】（ａ）本発明の実施の形態１における床ずれ防止用介護用具の使用状態の説明図  （ｂ）本発明の実施の形態１における床ずれ防止用介護用具の使用状態の説明図  （ｃ）本発明の実施の形態１における床ずれ防止用介護用具の使用状態の説明図
【図４】（ａ）制御装置の斜視図  （ｂ）給排気装置の模式図
【図５】本発明の実施の形態２における床ずれ防止用介護用具の斜視図
【図６】本発明の実施の形態２における床ずれ防止用介護用具の斜視図
【図７】本発明の実施の形態３における床ずれ防止用介護用具の斜視図
【図８】（ａ）本発明の実施の形態３における床ずれ防止用介護用具の使用説明図  （ｂ）本発明の実施の形態３における床ずれ防止用介護用具の使用説明図  （ｃ）本発明の実施の形態３における床ずれ防止用介護用具の使用説明図
【図９】本発明の実施の形態４における床ずれ防止用介護用具の斜視図
【図１０】本発明の実施の形態４における床ずれ防止用介護用具の装着に関する説明図
【図１１】（ａ）本発明の実施の形態５における床ずれ防止用介護用具の側面図  （ｂ）本発明の実施の形態５における床ずれ防止用介護用具の側面図
【図１２】本発明の実施の形態５における床ずれ防止用介護用具の使用状態の説明図
【符号の説明】
【０１３４】
１  床ずれ防止用介護用具
２  第１の袋体
３  第２の袋体
４  結合部
５  給排気管
６  給排気装置
７  外縁部
８  コンプレッサ
９  制御装置
１０  切り替え弁
１１  制御端末
【図１】
2007289518.tif 000003
【図２】
2007289518.tif 000004
【図３】
2007289518.tif 000005
【図４】
2007289518.tif 000006
【図５】
2007289518.tif 000007
【図６】
2007289518.tif 000008
【図７】
2007289518.tif 000009
【図８】
2007289518.tif 000010
【図９】
2007289518.tif 000011
【図１０】
2007289518.tif 000012
【図１１】
2007289518.tif 000013
【図１２】
2007289518.tif 000014